(57)【要約】 【課題】  道路の路肩等に設置し走行車両のヘッドライトを反射する反射発光面を具えたガイドレールを形成するための新規な反射発光用部材の提供を図る。【解決手段】  既存のガードレールにおける支柱Aにしてそのガイドレール板Bの下縁に隣接させた状態で取り付けるための反射発光用部材Mであって、その基体１を、光源が遠い場合に反射発光する角度に固定化した面１aと、光源が近づいた場合に反射する角度に固定化した面1bと、反対側からくる車両のライトを反射する角度に固定化した面1cを具えた多角形状に形成すると共に、各面には夫々反射発光面２を形成して成るガードレールに取付けるための反射発光用部材【選択図】  図３
2014190151.tif 000002
【特許請求の範囲】
【請求項１】
既存のガードレールにおける支柱(A)にしてそのガイドレール板(B)の下縁に隣接させた状態で取り付けるための反射発光用部材(M)であって、当該部材を構成する基体(１)を、光源が遠い場合に反射発光する角度に固定化した面(１a)と、光源が近づいた場合に反射する角度に固定化した面(1b)と、反対側からくる車両のライトを反射する角度に固定化した面(1c)を具えた多角形状に形成すると共に、各面には夫々反射発光面(２)を形成して成るガードレールに取付けるための反射発光用部材。
【請求項２】
基体(１)の両側縁部に支柱(A)に対する抱持用折り曲げ片面(1d)および(1e)を形成すると共に、各面(1a、1b、1c、1d、1e)の隣接隅角部分に弧状部(m)を形成することに依って、支柱Aに対する取付けをスナップ的に嵌着させるように構成した請求項１に記載のガードレールに取付けるための反射発光用部材。
【発明の詳細な説明】
【技術分野】
【０００１】
本発明は、道路の路肩等に設置し走行車両のヘッドライトを反射する反射発光面を具えたガイドレールを形成するための反射発光用部材に関する。
【背景技術】
【０００２】
支柱の先端に円形鏡状の反射発光部を設けるような技術は古くから存在する（例えば、特許文献１参照。）。  そして、従来、反射発光面を具えたガイドレールは、このような技術を取り入れた形態、すなわち、図４に示すように、ガイドレール板Bを支持するための支柱Aの先端に、円形鏡状の反射発光盤Cを取付けるように構成したものであった。
【先行技術文献】
【特許文献】
【０００３】
【特許文献１】特開２００２―１４６７３２号公報
【発明の概要】
【発明が解決しようとする課題】
【０００４】
上述したような従来のガイドレールであると、支柱Aの先端に取付けられている反射発光盤Cは、例えば自動車の衝突、他物の接触、或いは悪戯等に依ってその取付けレバー部分Dにおいて折り曲げられ易く、すなわち、破損し易いと言う欠点を有するものであった。
そして、折り曲げられた反射発光盤Cが、歩道側に向かって曲がった場合、歩行の妨げになったり、衣服等を引掛けてしまったりするような問題が伴った。
【０００５】
本発明は、上記のような問題の解決を図ると同時に、反射発光の多様性が図られるように構成した新規のガイドレールの提供を可能化するための反射発光用部材を提供するものである。
【課題を解決するための手段】
【０００６】
本発明は請求項１に記載のように、既存のガードレールにおける支柱Aにしてそのガイドレール板Bの下縁に隣接させた状態で取り付けるための反射発光用部材Mであって、当該部材Mの基体１を、光源が遠い場合に反射発光する角度に固定化した面１aと、光源が近づいた場合に反射する角度に固定化した面1bと、反対側からくる車両のライトを反射する角度に固定化した面1cを具えた多角形状に形成すると共に、各面には夫々反射発光面２を形成して成るガードレールに取付けるための反射発光用部材に係る。
【０００７】
本発明は請求項２に記載のように、基体１の両側縁部に支柱Aに対する抱持用折り曲げ片面1dおよび1eを形成すると共に、各面1a、1b、1c、1d、1eの隣接隅角部分に弧状部mを形成することに依って、支柱に対する取付けをスナップ的に嵌着させるように構成した請求項１に記載のガードレールに取付けるための反射発光用部材を実施の態様とする。
【発明の効果】
【０００８】
本発明は請求項１に記載のような構成、すなわち、既存のガードレールにおける支柱Aにしてそのガイドレール板Bの下縁に隣接させた状態で取り付けるための反射発光用部材Mであるため、その取付け形態を外方に飛び出すことなく達成される。  従って、図４に示すような形態とした場合に生じる、反射発光盤Cが、例えば自動車の衝突、他物の接触、或いは悪戯等に依ってその取付けレバー部分Dにおいて折り曲げられてしまったりするような問題は、本発明においてはよく回避される。  そして、折り曲げられた反射発光盤Cが、歩道側に向かって曲がった場合に生じる衣服等を引掛けてしまったりするような問題が全く解消される。
【０００９】
また、本発明は請求項１に記載のような構成、すなわち、その基体１を、光源が遠い場合に反射発光する角度に固定化した面１aと、光源が近づいた場合に反射する角度に固定化した面1bと、反対側からくる車両のライトを反射する角度に固定化した面1cを具えた多角形状に形成すると共に、各面には夫々反射発光面２を形成するように構成したから、本発明を道路の縁石に実施することに依り、夜間走行する自動車は常に道路全体の状態、例えば直線距離、曲がり具合、アップダウンの状態の確認が果たされ、また、近い場所での確認も目近な状態で行われるため、脱輪等の事故を生じさせる恐れが回避される。  更に、反対側からくる車両のライトを反射する角度に固定化した面1cも具えているため、反対側車線走行の車両に対する安全誘導作用を奏させることができる。
【００１０】
本発明は請求項２に記載のような構成、すなわち、基体１の両側縁部に支柱Aに対する抱持用折り曲げ片面1dおよび1eを形成すると共に、各面1a、1b、1c、1d、1eの隣接隅角部分に弧状部mを形成することに依って、支柱Aに対する取付けをスナップ的に嵌着させるように構成したから、既存のガイドレールに対する取付けが、極めて容易に達成される。  なお、一層強固な固定を必要とする場合は、上下両端にバンドを設けることに依る固定、螺子止め等の手段の併用等、適宜手段を介在させるように構成しても良い。
【００１１】
更に、このような構成の採用に基づき、ガイドレールに対する実施以外、適宜な案内柱に対する取付けに基づき、当該案内柱に対する反射発光機能の付加用部材しての利用を図ることができる。
【図面の簡単な説明】
【００１２】
【図１】本発明を表した正面図である
【図２】図１におけるX―X線断面図である
【図３】本発明を取り付けたガードレールを表した説明用斜視図である。
【図４】従来のガードレールを表した斜視図である。
【発明を実施するための形態】
【００１３】
図は本発明の一実施例を表したもので、本発明は図３に示すように既存のガードレールにおける支柱Aにしてそのガイドレール板Bの下縁に隣接させた状態で取り付けるための反射発光用部材Mに係るものである。
【００１４】
そして、当該反射発光用部材Mは下記のような構成を有する。  図１及び図２において、１は発光用部材の基体であって、支柱Aに取付けた際に、遠方のライトを反射発光させるための面、すなわち、光源が遠い場合に反射発光する角度に固定化した面１aと、光源が近づいた場合に反射する角度に固定化した面1bと、反対側からくる車両のライトを反射する角度に固定化した面1cから成る多角形状を折り曲げ形成したものである。
【００１５】
1dおよび1eは支柱Aに対する抱持用折り曲げ片面であって、基体１の両側縁部に連設されている。  そして、上記のような形態を有する基体１はその内周寸法が、円形状である支柱Aの外観寸法とほぼ等しくすることに依り、当該支柱に対するスナップ的嵌着、すなわち、ばね的弾力性を保った嵌着がなされるように構成することが好ましい。
【００１６】
然し乍、上記のような寸法設定に基づきばね的弾力性を基づく嵌着、すなわち、支柱Aに対するスナップ的取付けに基づくようにする以外、例えばボルト止め、ベルト止め等の手段でその固定化を図るように構成しても良い。
【００１７】
２は反射発光面であって、光源が遠い場合に反射する角度に固定した面１aと、光源が近づいた場合に反射する角度に固定化した面1bと、反対側からくる車両のライトを反射する角度に固定化した面1cとの各面に形成してある。  なお、当該反射発光面２は別体のものを添接するか、或いは直接一体成形してしまうかは、何れのものであっても可とする。
【００１８】
ところで、図示の実施例にあっては、各面1a、1b、1c、1d、1eの隣接隅角部分に弧状部mを形成してあるのは、当該弧状部mがばね的作用を奏して、支柱Aに対するスナップ的取付けの安定化、強力化を図るためのものである。  
【００１９】
図３に示すように、既存のガードレールにおける支柱Aにしてそのガイドレール板Eの下縁に隣接させた状態で取り付けて使用に供する。  この状態において、基体１は支柱Aに密着し、突出物化していないため、図４に示す従来のような突出物化しているための既述した弊害は解消される。
【００２０】
上記取付け状態において、面１aにおいて遠い光源に対する反射発光が、面1bにおいて近い光源に対する反射発光が、そして、面1cにおいて反対方向からの光源に対する反射発光がなされるため、本発明に対する反射発光作用は殆ど無指向的に発揮される。
【符号の説明】
【００２１】
A 
支柱
B 
ガイドレール板
M 
反射発光用部材
１  発光用部材の基体
1a  光源が遠い場合に反射する角度に固定した面
1b  光源が近づいた場合に反射する角度に固定化した面
1c  反対側からくる車両のライトを反射する角度に固定化した面
1d  抱持用折り曲げ片面
1e  抱持用折り曲げ片部
m  弧状部
２  反射発光面
【図１】
2014190151.tif 000003
【図２】
2014190151.tif 000004
【図３】
2014190151.tif 000005
【図４】
2014190151.tif 000006